(57)【要約】
【課題】飲用ストローを内蔵した覆い蓋を飲料缶に係脱可能に被せることのできる飲料缶用ストロー内臓覆い蓋の提供。
【解決手段】飲料缶用覆い蓋１は、飲料缶５０の本体の外周部に係脱可能に設けられる第１の蓋部材１０と、この第１の蓋部材１０の内周部に係脱可能に設けられた第２の蓋部材２０との間に形成された空間部２４に、飲用ストロー３０を曲げて収納可能にした構成のものである。つまみ部２３により第１の蓋部材１０から第２の蓋部材２０を引き出しストロー３０の取り出しを容易にしている。又、飲料缶用覆い蓋１は、独立的に扱うことができ、積み重ね運搬ができる。
【選択図】  図２
0003101109.tif 000002
【実用新案登録請求の範囲】
【請求項１】
飲料缶に係脱可能に設けられる第１の蓋部材（１０，１０ａ）と、
この第１の蓋部材の内部に係脱可能に設けられる第２の蓋部材（２０，２０ａ）と、
前記第１の蓋部材と前記第２の蓋部材との間に形成される空間部（２４，２４ａ）と、
この空間部に可撓性を有して変形可能に収納されるストロー（３０）と
からなる飲料缶用ストロー内蔵覆い蓋。
【請求項２】
請求項１に記載された飲料缶用ストロー内蔵覆い蓋であって、
前記第２の蓋部材には、前記第１の蓋部材から前記第２の蓋部材を離脱させるためのつまみ部（２３）が形成されていることを特徴とする飲料缶用ストロー内蔵覆い蓋。
【請求項３】
請求項２に記載された飲料缶用ストロー内蔵覆い蓋であって、
前記つまみ部は、前記第２の蓋部材に穴（２３ａ）を有して形成された構成のものであることを特徴とする飲料缶用ストロー内蔵覆い蓋。
【請求項４】
請求項１から３のいずれかの１項に記載された飲料缶用ストロー内蔵覆い蓋であって、
前記空間部は、前記飲料缶の周縁部に沿って前記第１の蓋部材と前記第２の蓋部材の間に前記ストローを略円形に収納可能に設けられる凹部（２２）を有していることを特徴とする飲料缶用ストロー内蔵覆い蓋。
【請求項５】
請求項１から４のいずれかの１項に記載された飲料缶用ストロー内蔵覆い蓋であって、
前記第１の蓋部材は、内部に設けられる前記第２の蓋部材側に前記第１の蓋部材の外側をはめ込むことが可能で、交互に複数個積み重ねができる形状になっていることを特徴とする飲料缶用ストロー内蔵覆い蓋。
【考案の詳細な説明】
【技術分野】
【０００１】
本考案は、飲用ストローを内蔵した飲料缶用覆い蓋に関し、特に、飲料缶の飲み口部と飲用ストローの衛生面を向上させるとともに、覆い蓋から飲用ストローを取り出すことを容易にした飲料缶用ストロー内蔵覆い蓋に関する。
【背景技術】
【０００２】
上部にプルトップを有する飲料缶は公知であり、各種自動販売機、販売店等で販売されている。この飲料缶から飲料を飲用するためには、飲料缶の上面のプルトップを引き上げて飲み口部を開口し、この飲み口部に口をつけて飲料缶を傾けながら直接飲用することが多い。しかしながら、飲料缶から直接飲用することを嫌う人もおり、飲料缶に飲用ストローを付属させることの要望がある。飲用ストローを飲料缶に付属させる例としては、飲用ストローを円筒外周部に設けたもの（例えば、特許文献１）、底部等に設けたもの（例えば、特許文献２）などがある。
【０００３】
しかしながら、プルトップなど人が口をつける飲み口部の衛生面の向上を図れることから上部（飲料缶上面）に設けた蓋（キャップ）に付属させるものの提案が多くなってきている。また、飲用ストローは、長さが飲料缶の全長より長くないといけないため、飲用ストローの一部またはほぼ全長に亘って蛇腹等の可撓部を設け、折り曲げて収納する技術（例えば、特許文献３、特許文献４）、飲用ストローを複数段（例えば、３段）に伸縮可能なものとし、飲用時に飲用ストローを伸張させる技術（例えば、特許文献５）などの技術が開示されている。
【０００４】
更に、飲用ストローは、人が口をつけるものであり、安全面、衛生面への配慮も必要である。そのための技術として、飲用ストローを合成樹脂フィルムで包装しているもの（例えば、特許文献３、特許文献５）、袋体に飲用ストローを内装しているもの（例えば、特許文献４）などがよく知られている。このような袋体や合成樹脂フィルムは、ヒートシールして製作されることが多い。また、袋体や合成樹脂フィルムは、破りにくいため切り込み等を入れておくことも多い。
【０００５】
更に、ストローを円形状に飲料缶に収納し蓋を被せる構成のもの（例えば、特許文献６）。更に、蓋の裏面にストローをはめ込み収納する構成のもの（例えば、特許文献７）が知られている。しかしながら、高齢者、身障者、幼児など手先、指先に力が入りにくい人、手先、指先をうまく動かすことができない人、細かな作業をうまく行えない人には、切り込み等があっても、合成樹脂フィルムや袋体を破ることが困難であるという問題点があった。すなわち、飲用ストローを使用したほうが好ましい人であるにも関わらず、他の人に頼んで飲用ストローを取り出してもらわないと、飲料缶から飲用ストローを使用して飲むことができないという問題点があった。
【０００６】
更に、飲料缶に取り付けるときのストローの扱いや飲んだ後の蓋やストローの扱いでの衛生面の問題等まだまだ現状において解決すべき問題点を有している。そのため、飲料缶の飲み口部、飲用ストローの衛生面、安全面での向上を図るとともに、手先、指先に力の入りにくい人でも容易に飲用ストローを取り出すことができ、又蓋単独での扱いを容易にし、衛生面も考慮した飲料缶用覆い蓋の開発が要望されていた。
【０００７】
【特許文献１】実開平５−４２１４３号公報
【特許文献２】特開２００１−１４９２０２号公報
【特許文献３】実開平５−９１４７５号公報
【特許文献４】特開２００１−１４９２０３号公報
【特許文献５】特開２００２−２５５１８４号公報
【特許文献６】実開平５−７６３７号公報
【特許文献７】特開２００３−２００６１号公報。
【考案の開示】
【考案が解決しようとする課題】
【０００８】
本考案は、このような社会的、技術的背景に基づいてなされたものであり、次のような目的を達成する。本考案の目的は、飲料缶に飲用ストローを内蔵した覆い蓋を係脱可能に被せて独立して扱うことが可能な飲料缶用ストロー内蔵覆い蓋を提供することにある。
【０００９】
本本考案の他の目的は、飲料缶の飲み口部を衛生的に保ち、飲用ストローを衛生的に保護する飲料缶用ストロー内蔵覆い蓋を提供することにある。_
本考案の更に他の目的は、覆い蓋から飲用ストローを容易に取り出すことができる飲料缶用ストロー内蔵覆い蓋を提供することにある。
【課題を解決するための手段】
【００１０】
本考案１の飲料缶用ストロー内蔵覆い蓋は、飲料缶に係脱可能に設けられる第１の蓋部材と、この第１の蓋部材の内部に係脱可能に設けられる第２の蓋部材と、前記第１の蓋部材と前記第２の蓋部材との間に形成される空間部と、この空間部に可撓性を有して変形可能に収納されるストローとからなっている。
【００１１】
本考案２の飲料缶用ストロー内蔵覆い蓋は、本考案１において、前記第２の蓋部材には、前記第１の蓋部材から前記第２の蓋部材を離脱させるためのつまみ部が形成されていることを特徴としている。本考案３の飲料缶用ストロー内蔵覆い蓋は、本考案２において、前記つまみ部は、前記第２の蓋部材に穴を有して形成された構成のものであることを特徴としている。
【００１２】
本考案４の飲料缶用ストロー内蔵覆い蓋は、本考案１から３のいずれかにおいて、前記空間部は、前記飲料缶の周縁部に沿って前記第１の蓋部材と前記第２の蓋部材の間に前記ストローを略円形に収納可能に設けられる形状を有していることを特徴としている。
本考案５の飲料缶用ストロー内蔵覆い蓋は、本考案１から４のいずれかにおいて、前記第１の蓋部材は、内部に挿入される前記第２の蓋部材側に前記第１の蓋部材の外側をはめ込むことが可能で、交互に複数個積み重ねができる形状になっていることを特徴としている。
【考案の効果】
【００１３】
以上説明したように、本考案の飲料缶用ストロー内蔵覆い蓋は、第１の蓋部材（外蓋）に対して第２の蓋部材（内蓋）を係合、離脱可能とし、その間の空間部に飲用ストローを配置する構成にしている。そのため、第１の蓋部材から第２の蓋部材を引き出すことにより、飲用ストローを容易に取り出すことができる。また、第２の蓋部材につまみ部を形成してあるので、飲用ストローをさらに容易に取り出すことができる。すなわち、高齢者、身障者等指先、手先の力の弱い人、細かな作業を行うのが容易でない人等が、他の人の助けをかりることなく、飲用ストローを取り出し、飲料缶の飲料（内容物）を飲用ストローで飲むことができる。
【００１４】
さらに、飲料缶用覆い蓋を取り外し、飲用ストローを取り出すまで、飲用ストロー、飲料缶の飲み口部を飲料缶用覆い蓋が覆っている。そのため、衛生的である。また、飲用ストローが押しつぶされないよう保護することもできる。特に、自動販売機等に投入販売されているとき、店頭に並べて販売されているときに、人が口をつける飲用ストロー、飲み口部に塵埃、汚れ等が付着することがないので非常に衛生的である。また、交通量の激しい道路沿いの店頭など悪環境化に置かれていても、飲料缶の飲み口部、飲用ストローを衛生状態のよい状態に維持することができる。
【００１５】
また、飲料缶用覆い蓋は、第１の蓋部材、第２の蓋部材、飲用ストローを一体に組み込んだ状態で、積み重ねたり、持ち運んだりすることが容易である。飲料缶と飲料缶用覆い蓋とを一体化する場合にも、飲料缶に、組み込んだ覆い蓋すなわち飲用ストローを内蔵した飲用缶用覆い蓋を被せるだけでよいので、扱いも容易である。
【考案を実施するための最良の形態】
【００１６】
以下、本考案の実施の形態を図面に従って説明する。図１は、本考案の飲料缶用覆い蓋の平面図、図２は、図１をII−II線で矢視した断面図、図３は、図２のIII−III線で矢視した断面平面図である。図４は、本考案の他の実施の形態を示す断面図である。飲料缶５０の外周部の上部側には、第１の蓋部材１０が被せられている。飲料缶５０の上面には、プルトップ部５１が形成されている。このプルトップ部５１を引き上げると、飲み口部が開口する。第１の蓋部材１０は飲料缶用覆い蓋１の外蓋を構成し、上部が飲料缶５０を覆う覆い部１１、下部が飲料缶５０の外周部と係合する係合部１２となっている。
【００１７】
すなわち、第１の蓋部材１０の係合部１２は、第１の蓋部材１０が飲料缶５０側に押圧されると弾性変形してはまり込んだ状態で挿入される。所定の位置まで挿入されると、飲料缶５０に第１の蓋部材１０が係合する状態は、摩擦力により維持し固定される状態となる。そして、第１の蓋部材１０は、飲料缶５０と第１の蓋部材１０とが離れる方向に、係合部１２の外側を手でつかみ引っ張られると飲料缶５０より離脱し取り外される。
【００１８】
第１の蓋部材１０の内周部１３には、第２の蓋部材２０が係脱可能に挿入されている。第２の蓋部材２０は、飲料缶用覆い蓋１の内蓋を構成する。第２の蓋部材２０の外周部は第１の蓋部材１０の内周部１３と係合する係合部２１を構成している。また、第２の蓋部材２０の端面には、人がつまめるような２つの穴２３ａが形成されたつまみ部２３が形成されている。このつまみ部２３は、第２の蓋部材２０を第１の蓋部材１０から引き出すためのものである。
【００１９】
この実施の形態では、半円形の穴２３ａが一対形成されている例を示しているがこれに限定されることはない。例えば、３本の指が入るように３箇所に穴が形成されているもの等であってもよい。又、穴を設けず凹凸形状にしたつまみ構成であってもよい。すなわち、つまみ部２３は、第２の蓋部材２０をつまんで引き出すことができる形状のものであればよい。
【００２０】
第１の蓋部材１０に対して第２の蓋部材２０を第１の蓋部材１０側に押圧すると、係合部２１は弾性変形して第２の蓋部材２０は第１の蓋部材１０にはめ込み挿入される。所定の位置まで挿入されると、第１の蓋部材１０に対して第２の蓋部材２０は摩擦力によりその状態を維持される。そして、第１の蓋部材１０の外側を一方の手で把持した状態で、第２の蓋部材２０のつまみ部２３をつまみ、第２の蓋部材２０を第１の蓋部材から離れる方向に引き出すと、両者は離脱する。
【００２１】
第２の蓋部材２０の外周側の端面には、凹部２２が円形状に形成されている。第１の蓋部材１０と第２の蓋部材２０の凹部２２との間で、空間部２４が形成されている。空間部２４には、飲用ストロー３０が挿入されている。飲用ストロー３０は、両端に吸い口部３１が形成され、両端の吸い口部３１の間に蛇腹部３２が形成されている。すなわち、飲用ストロー３０は、可撓性を有する蛇腹部３２によって曲げて、飲料缶周縁部に沿って形成された空間部２４に収納可能にすることができる。なお、飲用ストロー３０は、一部のみに蛇腹部が形成され、その部分から折り曲げられるものであってもよい。例えば、円形状でなく多角形に折り曲げて収納するものであってもよい。
【００２２】
なお、第１の蓋部材１０、第２の蓋部材２０は透明または半透明のプラスチック等の材料で形成されている。この構成は、内側の飲用ストロー３０、プルトップ部５１等が見えて目視確認できるので好ましい。飲料缶用覆い蓋１は、次のように組み立てることができる。第１の蓋部材１０内に飲料ストロー３０を入れた状態で、第２の蓋部材２０を第１の蓋部材１０側に押圧し係合分２１の弾性変形で係止させる。第１の蓋部材１０に第２の蓋部材２０が完全に挿入されると、飲用ストロー３０は空間部２４に収納される。
【００２３】
又、前記した実施の形態では、空間部を第２の蓋部材に形成された凹部２２を主に第１の蓋部材１０との間に形成されたものとして説明を行ったが、これに限定されることはない。図３のように、空間は、第１の蓋部材１０ａ側に段１０ｂを設け、第２の蓋部材２０ａとの間に空間部２４ａが形成されたものであってもよい。又、この構成で第１の蓋部材１０ａの中央部が凹部状になっていてもよい。そして、この空間部２４ａに飲用ストロー３０を収納すればよい。すなわち、空間部は、第１の蓋部材１０と第２の蓋部材２０との間に、飲用ストロー３０を収納可能に形成されたものであればよい。
【００２４】
更に、飲用ストロー３０を、一部に、または、ほぼ全長に亘って可撓部を有するものとして説明を行っているが、２段以上複数段に伸縮可能な形成された飲用ストローであってもよい。飲料缶用覆い蓋１は、組み立てた状態で積み重ねることが可能であり、持ち運びもできる。この積み重ねは、セットになった複数の飲料缶用覆い蓋１を第２の蓋部材２０の部分に第１の蓋部材１０の外側部分を交互に差し込む状態で行われる。積み重ねたときの厚さは、覆い部１１とストロー３０及び係合部２１の厚さを合わせたものとなり、最小限の積み重ねとなり無駄なスペースは発生しない。
【００２５】
このように積み重ねることで、つまみ部２３は外側に露出せず内側に入るので、単独では穴２３ａを介して外に開放されるストロー３０もむき出しにならず保護される。ストロー３０は、飲料缶５０に取り付ける前も後も衛生状態を保つことができる。また、飲料缶５０と飲料缶用覆い蓋１を一体化する場合には、組み立てた状態の飲料缶用覆い蓋１を飲料缶５０に挿入して被せ、一体化すればよい。
【００２６】
このように、飲料缶５０を飲料缶用覆い蓋１で覆うと、飲料缶５０の飲み口部、飲用ストロー３０が外気に露出しないこと、人の手が触れることがないこと等により、衛生的な状態に維持することができる。また、自動販売機に投入後長く置かれたり、店頭等に長く置かれたりしても、塵埃等が飲み口部、飲用ストロー３０に付着することを防止できる。また、飲料缶５０が置かれている環境が、交通量の激しい道路沿い等厳しい環境下であっても、飲料缶５０、飲用ストロー３０の衛生状態をよい状態に維持することができる。
【００２７】
なお、飲料缶用覆い蓋１の上部等には、塵埃等が付着する可能性があるが、人が飲料を飲む場合には、飲料缶用覆い蓋１は取り外して飲むので、全く問題が生じない。すなわち、飲料缶５０や飲料缶用覆い蓋１の取り扱い過程等で、飲み口部、飲用ストロー３０等人が口をつける部分が清浄であれば、その清浄な状態を維持することができる。すなわち、飲料缶５０を衛生的に搬送、販売することができ、飲料品としての安全性が保てる。また、飲用ストロー３０は空間部２３に収納されているので、搬送中につぶれたりすることなく保護される。
【００２８】
この飲料缶用覆い蓋１は次のような利用の仕方もある。一時的ではあるが、飲みかけた状態でストローを使用後飲料缶用覆い蓋１に再収納することができる。また、ストローを洗浄して再利用するか、あるいは新しいストローをこの飲料缶用覆い蓋１に収納し、別の飲料缶に取り付けることも可能である。飲料缶用覆い蓋１は、組み立てた状態で積み重ねることが可能であり、多数個持ち運びが容易である。また、飲料缶５０と飲料缶用覆い蓋１を一体化する場合、組み立てた状態の飲料缶用覆い蓋１を独立して飲料缶５０に被せればよいので、どの飲料缶にも適用でき汎用性があって扱いが簡単である。
【図面の簡単な説明】
【００２９】
【図１】図１は、本考案の飲用ストローを内蔵した飲料缶用覆い蓋の平面図である。
【図２】図２は、図１をII−II線で矢視した断面図である。
【図３】図３は、図２のIII−III線で矢視した断面平面図である。
【図４】図４は、本考案の他の実施の形態を示す飲料缶用覆い蓋の断面図である。
【符号の説明】
【００３０】
１、１ａ…飲料缶用覆い蓋
１０、１０ａ…第１の蓋部材
２０、２０ａ…第２の蓋部材
２４、２４ａ…空間部
３０…飲用ストロー
５０…飲料缶
【図１】
0003101109.tif 000003
【図２】
0003101109.tif 000004
【図３】
0003101109.tif 000005
【図４】
0003101109.tif 000006